(57)【要約】                                                                        【課題】床排水をおこなうクリーンルームへの設置に適した床スラブ排水口の構造を提供する。【解決手段】床スラブ排水口Ｘの実施例構造は、クリーンルーム等の建物の床スラブＳに貫通孔５を穿設して排水管〔図示省略〕に接続された立ち上がりパイプＰを配設し、該パイプＰを介して床排水をおこなうために、床スラブＳの貫通孔５に内設され立ち上がりパイプＰの管端に接続して床面Ｆに開口する金具枠１と、目皿２と、脚付き蓋体３から構設されるものである。金具枠１は床面Ｆ開口側に断面径を絞って内周を段形成した受承部11を有している。そして、受承部11に目皿２の周縁を係合載置して断面内に介在させ、該目皿２に脚付き蓋体３を載置し、かつ、蓋面が床面Ｆと面一になるように金具枠１に収設している。【選択図】      図１
2006090079.tif 000002
【特許請求の範囲】
【請求項１】
建物の床スラブに貫通孔を穿設して排水管に接続された立ち上がりパイプを配設し、該パイプを介して床排水をおこなうために構設される床スラブ排水口の構造において、
床スラブの貫通孔に内設され立ち上がりパイプの管端に接続して床面に開口する金具枠と、目皿と、脚付き蓋体からなり、
前記金具枠が床面開口側に断面径を絞って内周を段形成した受承部を有し、
該受承部に前記目皿の周縁を係合載置して断面内に介在させ、該目皿に前記脚付き蓋体を載置し、かつ、蓋面が床面と面一になるように前記金具枠に収設してなることを特徴とする床スラブ排水口の構造。
【請求項２】
受承部を床面から浅い位置に形成して目皿を載置し、かつ、蓋体の脚長を短寸化することにより、開蓋時の床面との段差を減少するようにした請求項１記載の床スラブ排水口の構造。
【請求項３】
蓋体の外周の一部を欠損形成して蓋面に操作用スリットを設けた請求項１記載の床スラブ排水口の構造。
【発明の詳細な説明】
【技術分野】
【０００１】
本発明は、建物の床スラブに貫通孔を穿設して排水管に接続された立ち上がりパイプを配設し、該パイプを介して床排水をおこなうために構設される床スラブ排水口の構造に係り、詳しくは、床排水をおこなうクリーンルームに設置される床スラブ排水口の構造に関する。
【背景技術】
【０００２】
従来より、建物設備として床排水をおこなうクリーンルームが知られており、食品工場や製薬工場では、衛生管理、無菌管理のために清浄な製造環境（クリーンルームに同じ。）を維持することが必要で、床は使用原料が飛散し汚れやすいということから、定期的に水を流して清掃している。こうした清掃時の床排水のために、床スラブ面に排水口を設置している。
【０００３】
また、半導体などの精密製造工場でも同様に清浄な製造環境が必要であり、床を水洗いすることは無いが、万一の漏水事故の発生時には、速やかに排水するために、床スラブ面に排水口を設置する事例がある。
【０００４】
ところで、クリーンルームにける床スラブ排水口の設置要件は、概略以下のとおりである。
（１）常時は閉蓋して気密性を確保すること。
（２）緊急時には速やかに開蓋できること（開蓋工具が不要）。
（３）蓋面がフラットで汚れがつきにくく、埃溜まりのない構造であること。
（４）床面台車移動に障害とならないよう床面レベルから蓋体や金具枠が突出せず面一であり破損しにくいこと。
【０００５】
従来的な排水口の構造を図３及び図４に示す。ここでは、排水口の蓋103 は引き上げボルト105 で固定されているので、蓋103 を外す場合には引き上げボルト105 をドライバーで緩めて持ち上げるという操作をしなければならない。また、排水口内部には、床面Ｆからかなり深く下がった位置にストレーナ４が設置されているため、開蓋時に大きな段差Ｇが生じるという問題がある。したがって、上記設置要件（２）〜（３）の問題点が解消しない。
【０００６】
また、排水具を含むこの種の構造に係る提案がある（例えば、特許文献１、２及び３を参照。）。
【特許文献１】特開平７−１１９１８８号公報
【特許文献２】特開平９−２６８６１６号公報
【特許文献３】特開平９−３１７０９４号公報
【０００７】
いずれの従来技術においても、上記設置要件（２）〜（３）の問題点が解消しない。
【発明の開示】
【発明が解決しようとする課題】
【０００８】
技術的解決課題は、上記設置要件の全てを満たす構造を有することが望まれる。
【０００９】
本発明はこのような事情に鑑みなされたものであって、上記課題を解消し、床排水をおこなうクリーンルームへの設置に適した床スラブ排水口の構造を提供するものである。
【課題を解決するための手段】
【００１０】
課題を解決するために本発明は、建物の床スラブに貫通孔を穿設して排水管に接続された立ち上がりパイプを配設し、該パイプを介して床排水をおこなうために構設される床スラブ排水口の構造の改善であって、
床スラブの貫通孔に内設され立ち上がりパイプの管端に接続して床面に開口する金具枠と、目皿と、脚付き蓋体からなり、
前記金具枠が床面開口側に断面径を絞って内周を段形成した受承部を有し、
該受承部に前記目皿の周縁を係合載置して断面内に介在させ、該目皿に前記脚付き蓋体を載置し、かつ、蓋面が床面と面一になるように前記金具枠に収設してなることを特徴とするものである。
【発明の効果】
【００１１】
本発明は、閉蓋時に気密性を確保でき、緊急時には開蓋工具を用いないで速やかに開蓋でき、蓋面がフラットで汚れがつきにくく、埃溜まりが少ないという利点を有する。しかも、蓋面及び金具枠に床面台車移動に障害となるような床面に対する凹凸がなく破損しにくい。そして、排水口内部に目皿を蓋体直下に設置することで、開蓋次においても、床面台車移動の障害となる床面に対する凹凸を最低限に抑えて大きな段差を生じなくするので、クリーンルーム内作業に常に支障がないようにした。
【発明を実施するための最良の形態】
【００１２】
本発明の実施の最良形態は、上記構成において、受承部を床面から浅い位置に形成して目皿を載置し、かつ、蓋体の脚長を短寸化することにより、開蓋時の床面との段差を減少するようにしている。
【００１３】
また、蓋体の外周の一部を欠損形成して蓋面に操作用スリットを設けて、工具を使わない手動操作のみにより開蓋可能としている。
【実施例】
【００１４】
本発明の一実施例について添付図面を参照して以下詳細説明する。従来構造〔図３，図４〕と同一の構成要素については同一符号を付した。
【００１５】
図１は、実施例構造を示す（ａ）断面視説明図及び（ｂ）平面視説明図である。
【００１６】
図２は、同じく分解斜視説明図である。
【００１７】
図示するように、床スラブ排水口Ｘの実施例構造は、クリーンルーム等の建物の床スラブＳに貫通孔５を穿設して排水管〔図示省略〕に接続された立ち上がりパイプＰを配設し、該パイプＰを介して床排水をおこなうために、床スラブＳの貫通孔５に内設され立ち上がりパイプＰの管端に接続して床面Ｆに開口する金具枠１と、目皿２と、脚付き蓋体３から構設されるものである。
【００１８】
金具枠１は床面Ｆ開口側に断面径を絞って内周を段形成した受承部11を有している。
【００１９】
そして、受承部11に目皿２の周縁を係合載置して断面内に介在させ、該目皿２に脚付き蓋体３を載置し、かつ、蓋面が床面Ｆと面一になるように金具枠１に収設している。
【００２０】
至適には、受承部11を床面Ｆから浅い位置に形成して目皿２を載置し、かつ、蓋体３の脚長を短寸化することにより、開蓋時の床面Ｆとの段差Ｇを減少するようにしている。
【００２１】
また、蓋体３の外周の一部を欠損形成して蓋面に操作用スリット31を設けている。
【産業上の利用可能性】
【００２２】
本発明構造は、新設はもとより既設構造に対する改善としても実施可能であり、しかも簡素な構成要素により堅牢な構造を確保できるので、産業上有益である。
【図面の簡単な説明】
【００２３】
【図１】実施例構造を示す（ａ）断面視説明図及び（ｂ）平面視説明図である。
【図２】同じく分解斜視説明図である。
【図３】従来構造を示す（ａ）断面視説明図及び（ｂ）平面視説明図である。
【図４】同じく分解斜視説明図である。
【符号の説明】
【００２４】
１  金具枠
11  受承部
２  目皿
３  脚付き蓋体
31  操作用スリット
４  ストレーナ
５  貫通孔
Ｆ  床面
Ｇ  段差（開蓋時）
Ｐ  立ち上がりパイプ
Ｓ  床スラブ
Ｘ  床スラブ排水口
101 パッキン（受承部）
102 スナップリング
103 蓋
104 パッキン（引き上げボルト）
105 引き上げボルト
【図１】
2006090079.tif 000003
【図２】
2006090079.tif 000004
【図３】
2006090079.tif 000005
【図４】
2006090079.tif 000006
【手続補正書】
【提出日】平成16年11月30日(2004.11.30)
【手続補正１】
【補正対象書類名】図面
【補正対象項目名】図２
【補正方法】変更
【補正の内容】
【図２】
2006090079.tif 000007